(57)【特許請求の範囲】
【請求項１】
透液性表面シートと裏面シートとの間に吸収体が介在されるとともに、使用面側の両側部にそれぞれ長手方向に沿って断面が中空のループ状立体ギャザーが形成された吸収性物品において、
前記ループ状立体ギャザーは、少なくとも前記吸収性物品の幅方向外側と内側のそれぞれに長手方向に沿って形成された接合部によって前記吸収性物品の使用面側に接合されるとともに、前記外側接合部の近傍を起立基端とする外側傾斜面と前記内側接合部の近傍を起立基端とする内側傾斜面とを有し、これら外側傾斜面と内側傾斜面との交点を頂部とする構造を有し、
前記吸収性物品の長手方向両端部では、前記外側傾斜面を前記ループ状立体ギャザーの内側に折り畳むように積層することにより、前記ループ状立体ギャザーの起立をなくした非起立部とされ、
前記ループ状立体ギャザーの起立部では、前記外側傾斜面の基端部から頂部までの長さが、前記内側傾斜面の基端部から頂部までの長さより短く形成され、且つ前記吸収性物品の幅方向線に対する前記内側傾斜面の傾斜角度が４５°以下であり、かつ前記ループ状立体ギャザーには、前記吸収性物品の長手方向に沿って複数の弾性伸縮部材が配設され、前記外側傾斜面に配設される弾性伸縮部材は、前記内側傾斜面に配設される弾性伸縮部材より伸縮力が高く設定されていることを特徴とする吸収性物品。
【請求項２】
前記ループ状立体ギャザーは、前記吸収性物品の幅方向外側から内側方向に延在したシートが内側位置で表面から突出方向の起立側に折り返される第１折返し部と、この第１折返し部に連続する起立側位置で前記吸収性物品の幅方向外側であって前記裏面シート側に折り返される第２折返し部と、この第２折返し部に連続する前記吸収性物品の使用面側位置で幅方向内側に折り返される第３折返し部とを有し、前記第１折返し部から順に第１折返し面、第２折返し面、第３折返し面が形成され、
前記第１折返し面が前記内側傾斜面、前記第２折返し面が前記外側傾斜面とされ、且つ前記第１折返し部の外側近傍に前記内側接合部が形成されるとともに、前記第３折返し面に前記外側接合部が形成されている請求項１記載の吸収性物品。
【発明の詳細な説明】
【技術分野】
【０００１】
本発明は、経血やおりものなどを吸収するための生理用ナプキン、パンティライナー、失禁パッド等の吸収性物品に係り、身体に密着でき、漏れ防止効果が高いループ状立体ギャザーを備えた吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在したものが知られている。
【０００３】
この種の吸収性物品においては、排泄された体液の横漏れを防止するため、吸収性物品の使用面側の両側部にそれぞれ長手方向に沿って表面側に起立する立体ギャザーが種々の形態で形成されている。
【０００４】
例えば、下記特許文献１では、表面層における長手方向の両側部に互いに離間して形成され、シート状部材により中空部を有するように構成される一対のギャザーを備え、前記一対のギャザーそれぞれは、前記シート状部材が、吸収性物品の肌当接面側に凸となるような立体形状部を有し、該立体形状部は、吸収性物品の長手方向に延びるように形成された接合部により表面層及び／又は裏面層に接合されるとともに、中空部を構成するようにして形成され、前記接合部は、前記立体形状部における幅方向内方側の端部を形成する第１接合端部と、該立体形状部における幅方向外方側の端部を形成する第２接合端部とを含み、前記立体形状部における前記第１接合端部から前記第２接合端部までの長さＬ１と、前記第１接合端部と前記第２接合端部との間の距離である接合端部間距離Ｌ２との比（Ｌ１／Ｌ２）は２以上である吸収性物品が開示されている。
【０００５】
また、下記特許文献２では、吸収性本体の長手方向両側部それぞれに帯状の伸縮性シートを接合して形成された中空のループ状の防漏壁を備え、前記防漏壁それぞれは、装着者の体液排泄部に当接される排泄部領域を含む、該配設領域からその後方にかけての領域及び該排泄部領域からその前方にかけての領域の少なくとも何れか一方に、前記伸縮性シートの他側部が接合された接合部が、前記排泄部領域からその後方にかけての領域及び該排泄部領域からその前方にかけての領域の少なくとも何れか一方に、吸収性物品の幅方向の内側に向かって凸状に湾曲又は屈曲している内方凸部を有し、さらに前記伸縮性シートの一側部が接合された接合部が、他側部側の接合部が内方凸部を形成している部分において、吸収性物品の幅方向の外方に向かって凸状に湾曲又は屈曲している外方凸部を有していることにより、該防漏壁の高さが部分的に高い高壁部を有している吸収性物品が開示されている。
【先行技術文献】
【特許文献】
【０００６】
【特許文献１】特開２００９−６０６５号公報
【特許文献２】特開２０１０−１１０５５８号公報
【発明の概要】
【発明が解決しようとする課題】
【０００７】
しかしながら、上記特許文献１記載の吸収性物品では、立体ギャザーの幅方向断面形状が接合端部間距離Ｌ２よりもギャザーの立体形状における最大幅Ｌ３の方が大きい略Ω形状を有しているため、中空の立体形状部は必ずしも十分な高さで形成され難く、身体との密着性が失われて横漏れを生じるおそれがあった。
【０００８】
また、上記特許文献２記載の吸収性物品では、伸縮性シートの接合部を蛇行させることによって中空のループ状の防漏壁の高さを部分的に高くした高壁部を形成しているが、この高壁部が装着時に内側に倒れる可能性があり、この場合には吸収体の上面が伸縮性シートによって覆われるため、体液の吸収機能が低下するおそれがあった。上記特許文献１記載の吸収性物品においても、特に吸収性物品の長手方向両端部側における接合端部間距離を吸収性物品の長手方向中央部における接合端部間距離よりも大きく形成した場合には同様の問題が生じ得る。
【０００９】
そこで本発明の主たる課題は、使用面側の両側部にそれぞれ長手方向に沿って中空のループ状立体ギャザーが形成された吸収性物品において、身体に密着し得る十分な高さが確保できるとともに、ギャザーが内側に倒れにくく、漏れ防止効果を高くした吸収性物品を提供することにある。
【課題を解決するための手段】
【００１０】
上記課題を解決するために請求項１に係る本発明として、透液性表面シートと裏面シートとの間に吸収体が介在されるとともに、使用面側の両側部にそれぞれ長手方向に沿って断面が中空のループ状立体ギャザーが形成された吸収性物品において、
前記ループ状立体ギャザーは、少なくとも前記吸収性物品の幅方向外側と内側のそれぞれに長手方向に沿って形成された接合部によって前記吸収性物品の使用面側に接合されるとともに、前記外側接合部の近傍を起立基端とする外側傾斜面と前記内側接合部の近傍を起立基端とする内側傾斜面とを有し、これら外側傾斜面と内側傾斜面との交点を頂部とする構造を有し、
前記吸収性物品の長手方向両端部では、前記外側傾斜面を前記ループ状立体ギャザーの内側に折り畳むように積層することにより、前記ループ状立体ギャザーの起立をなくした非起立部とされ、
前記ループ状立体ギャザーの起立部では、前記外側傾斜面の基端部から頂部までの長さが、前記内側傾斜面の基端部から頂部までの長さより短く形成され、且つ前記吸収性物品の幅方向線に対する前記内側傾斜面の傾斜角度が４５°以下であり、かつ前記ループ状立体ギャザーには、前記吸収性物品の長手方向に沿って複数の弾性伸縮部材が配設され、前記外側傾斜面に配設される弾性伸縮部材は、前記内側傾斜面に配設される弾性伸縮部材より伸縮力が高く設定されていることを特徴とする吸収性物品が提供される。
【００１１】
上記請求項１記載の発明では、吸収性物品の長手方向両端部において、外側傾斜面をループ状立体ギャザーの内側に折り畳むように積層することにより、ループ状立体ギャザーの起立をなくした非起立部とされているため、ループ状立体ギャザーの起立部においては、前記外側傾斜面が広がって高く起立した中空部が形成されるようになる。従って、身体に密着し得る十分な高さが確保でき、脚回りにフィットして漏れ防止効果が高くなる。
【００１２】
また、ループ状立体ギャザーの起立部では、外側傾斜面の基端部から頂部までの長さが、内側傾斜面の基端部から頂部までの長さより短く形成され、且つ前記吸収性物品の幅方向線に対する内側傾斜面の傾斜角度が４５°以下で形成されているため、吸収性物品の装着時に、外側傾斜面が外側に膨出するようにしてループ状立体ギャザーが全体的に外側に倒れるように変形する。従って、ループ状立体ギャザーが内側に倒れて体液吸収面を覆うような事態が防止できるので、体液吸収機能が低下することがなくなり、漏れ防止効果が高まるようになる。
【００１３】
さらに本発明では、外側傾斜面に配設される弾性伸縮部材の伸縮力を、内側傾斜面に配設される弾性伸縮部材の伸縮力より大きくなるように設定してあるため、両端の非起立部においてループ状立体ギャザーの内側に折り畳まれた外側傾斜面を起立部において十分に起立させることができるようになる。
【００１４】
請求項２に係る本発明として、前記ループ状立体ギャザーは、前記吸収性物品の幅方向外側から内側方向に延在したシートが内側位置で表面から突出方向の起立側に折り返される第１折返し部と、この第１折返し部に連続する起立側位置で前記吸収性物品の幅方向外側であって前記裏面シート側に折り返される第２折返し部と、この第２折返し部に連続する前記吸収性物品の使用面側位置で幅方向内側に折り返される第３折返し部とを有し、前記第１折返し部から順に第１折返し面、第２折返し面、第３折返し面が形成され、
前記第１折返し面が前記内側傾斜面、前記第２折返し面が前記外側傾斜面とされ、且つ前記第１折返し部の外側近傍に前記内側接合部が形成されるとともに、前記第３折返し面に前記外側接合部が形成されている請求項１記載の吸収性物品が提供される。
【００１５】
上記請求項２記載の発明は、具体的なループ状立体ギャザーの形態例を示したものであり、これにより横断面視略三角形状のループ状立体ギャザーが形成できる。
【発明の効果】
【００１６】
以上詳説のとおり本発明によれば、身体に密着し得る十分な高さが確保できるとともに、ギャザーが内側に倒れにくく、漏れ防止効果を高くした吸収性物品が提供できるようになる。
【図面の簡単な説明】
【００１７】
【図１】本発明に係る生理用ナプキン１の一部破断展開図である。
【図２】そのII−II線矢視図である。
【図３】図１のIII−III線矢視図である。
【図４】ループ状立体ギャザーＢＳを示す生理用ナプキン１の横断面図である。
【図５】本生理用ナプキン１の装着要領を示す横断面図である。
【図６】他の生理用ナプキンの装着要領を示す横断面図である。
【発明を実施するための形態】
【００１８】
以下、本発明の実施の形態について図面を参照しながら詳述する。
【００１９】
〔生理用ナプキン１の基本構造〕
本発明に係る生理用ナプキン１は、ポリエチレンシートなどからなる不透液性裏面シート２と、経血やおりものなどを速やかに透過させる透液性表面シート３と、これら両シート２，３間に介装された綿状パルプまたは合成パルプなどからなる吸収体４と、この吸収体４の形状保持および拡散性向上のために前記吸収体４を囲繞するクレープ紙５と、前記吸収体４の略側縁部を起立基端とし、かつ少なくとも体液排出部Ｈから前後方向に所定の区間内において表面側（使用面側）に突出して設けられた左右一対のループ状立体ギャザーＢＳ、ＢＳを形成するギャザー形成用不織布６とから主に構成され、かつ前記吸収体４の周囲においては、その上下端縁部では前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と、ギャザー形成用不織布６とがホットメルトなどの接着剤やヒートシール等の接着手段によって接合され、これら不透液性裏面シート２とギャザー形成用不織布６とによる積層シート部分によって側方に突出するウイング状フラップＷ、Ｗが形成されているとともに、これよりも臀部側に位置する部分に第２ウイング状フラップＷＢ、ＷＢが形成されている。
【００２０】
以下、さらに前記生理用ナプキン１の構造について詳述すると、
前記不透液性裏面シート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性裏面シート２の非使用面側（外面）には１または複数条の粘着剤層（図示せず）が形成され、身体への装着時に生理用ナプキン１を下着に固定するようになっている。前記不透液性裏面シート２としては、プラスチックフィルムと不織布とを積層させたポリラミ不織布を用いてもよい。
【００２１】
次いで、前記透液性表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性表面シート３に多数の透孔を形成した場合には、経血やおりもの等（以下、まとめて体液という。）が速やかに吸収されるようになり、ドライタッチ性に優れたものとなる。
【００２２】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。
【００２３】
本生理用ナプキン１の表面には、適宜の形状で圧搾溝８を形成することができる。図１に示される例では、ナプキン１の長手方向に細長く、かつ周方向に閉合する圧搾溝８が形成されている。
【００２４】
前記透液性表面シート３の幅寸法は、図示例では、図２の横断面図に示されるように、吸収体４の幅よりも若干長めとされ、吸収体４を覆うだけに止まり、前記立体ギャザーＢＳ、ＢＳは前記透液性表面シート３とは別のギャザー形成用不織布６によって形成され、立体ギャザーＢＳ、ＢＳの外側には、前記不透液性裏面シート２の表面側に外側に延びるギャザー形成用不織布６が積層されている。これらギャザー形成用不織布６は、経血やおりもの等が浸透するのを防止する、あるいは肌触り感を高めるなどの目的に応じて、適宜の撥水処理または親水処理を施した不織布素材を用いて構成されている。かかる不織布６としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００２５】
前記ギャザー形成用不織布６は、図２に示されるように、不透液性裏面シート２の外縁までの範囲に亘ってホットメルトなどの接着剤によって接着し、これら前記ギャザー形成用不織布６と不透液性裏面シート２との積層シート部分により、ほぼ体液排出部に相当する吸収体側部位置に左右一対のウイング状フラップＷ、Ｗを形成するとともに、これより臀部側位置に第２ウイング状フラップＷＢ、ＷＢを形成している。これらウイング状フラップＷ、Ｗおよび第２ウイング状フラップＷＢ、ＷＢの外面側にはそれぞれ粘着剤層１０…，１１…を備え、ショーツに対する装着時に、前記ウイング状フラップＷ、Ｗを折返し線ＲＬ位置にて反対側に折り返し、ショーツのクロッチ部分に巻き付けて止着するようになっている。
【００２６】
前記ギャザー形成用不織布６は、ナプキン１の幅方向内側部分が二重に折り返され、この二重シート部分を生理用ナプキン１の表面から突出する起立側に適宜折り返して中空のループ状立体ギャザーＢＳを形成している。前記二重シート内部の所定位置には、表面から突出する起立側中間部に両端または長手方向の適宜の位置が固定された複数条の弾性伸縮部材２１…、２２…が配設されている。
【００２７】
以下、このループ状立体ギャザーＢＳについて詳述する。
〔ループ状立体ギャザーＢＳについて〕
前記ループ状立体ギャザーＢＳは、少なくともナプキン１の幅方向外側と内側のそれぞれに長手方向に沿って形成された外側接合部３０及び内側接合部３１によってナプキン１の使用面側に接合されるとともに、前記外側接合部３０の近傍を起立基端とする外側傾斜面３２と前記内側接合部３１の近傍を起立基端とする内側傾斜面３３とを有し、これら外側傾斜面３２と内側傾斜面３３との交点を頂部Ｐとする構造を有することによって、断面が中空のループ状とされたものである。前記外側接合部３０及び内側接合部３１は、その幅方向範囲が明確に画成されていなくても、外側傾斜面３２及び内側傾斜面３３の起立基端からナプキン幅方向に一定の範囲に形成された接合部の部分であればよい。前記外側接合部３０及び内側接合部３１は、ナプキン長手方向に沿ってほぼ直線状に形成されている。
【００２８】
具体的に図４に示される例では、前記ループ状立体ギャザーＢＳは、ナプキン１の幅方向外側から内側方向に延在した前記ギャザー形成用不織布６の二重シート部分が内側位置で表面から突出方向の起立側に折り返される第１折返し部３４と、この第１折返し部３４に連続する起立側位置でナプキン１の幅方向外側であって前記裏面シート２側に折り返される第２折返し部３５と、この第２折返し部３５に連続するナプキン１の使用面側位置で幅方向内側に折り返される第３折返し部３６とを有し、前記第１折返し部３４から順に第１折返し面３７、第２折返し面３８、第３折返し面３９が形成されている。すなわち、前記第１折返し面３７が内側傾斜面３３、前記第２折返し面３８が外側傾斜面３２とされ、且つ前記第１折返し部３４の外側近傍に前記透液性表面シート３に接合される内側接合部３１が形成されるとともに、第３折返し面３９に前記ギャザー形成用不織布６に接合される外側接合部３０が形成されている。前記第１折返し部３４より幅方向外側の二重シートのうち、少なくとも一方のシート、図示例ではループ状の内側シートが、生理用ナプキン１の側縁まで延在している。
【００２９】
前記ループ状立体ギャザーＢＳは、この図示例に限定されるものではなく、ナプキン１の幅方向外側から内側方向に延在したギャザー形成用不織布６を、外側位置で起立側に折り返した後、起立側位置でナプキン１の幅方向内側であって裏面シート２側に折り返すことによって中空のループ状立体ギャザーＢＳを形成してもよい。
【００３０】
前記ループ状立体ギャザーＢＳは、図４に示される横断面視で、外側傾斜面３２、内側傾斜面３３がそれぞれ起立基端部から頂部Ｐにかけて直線的に形成される必要はなく、図示例のように中間部で屈折部を有していたり、起立基端部から頂部Ｐにかけて曲線状に湾曲していたりしてもよい。なお、全体が曲線状に形成される場合には、ナプキン表面からの起立高さが最大の点を頂部Ｐとし、これを境界として幅方向外側又は内側をそれぞれ外側傾斜面３２、内側傾斜面３３とする。
【００３１】
図３に示されるように、ナプキン１の長手方向両端部では、前記外側傾斜面３２をループ状立体ギャザーＢＳの内側に折り畳むようにして積層することにより、ループ状立体ギャザーＢＳの起立をなくした非起立部とされている。図３に示される例では、外側傾斜面３２の高さ方向の中央部を内側にして二重に折り畳み、ループ状立体ギャザーＢＳの内側に積層するとともに、この折り畳み部分同士をホットメルト等の接着剤による接合部４０で接合し、且つ内側傾斜面３３の内側を同じく接着剤による接合部４１で接合している。前記外側傾斜面３２は、図示例のように二重に折り畳むだけでなく、これより複数の蛇腹状に折り畳んでもよい。
【００３２】
一方、ループ状立体ギャザーＢＳの起立部では、前記外側傾斜面３２の基端部から頂部Ｐまでの長さＬ１が、内側傾斜面３３の基端部から頂部Ｐまでの長さＬ２より短く形成され、且つ生理用ナプキン１の幅方向線に対する内側傾斜面３３の傾斜角度αを４５°以下、好ましくは３０°〜４５°にしている。
【００３３】
前記外側傾斜面３２には、その高さ方向中間部に両端又は長手方向の適宜の位置が固定された複数条の、図示例では３条の弾性伸縮部材２２が伸張状態で配設されるとともに、ループ状立体ギャザーＢＳの頂部Ｐと前記内側傾斜面３３の高さ方向中間部には、両端又は長手方向の適宜の位置が固定された複数条の、図示例では５条の弾性伸縮部材２１が伸張状態で配設されている。これによって、生理用ナプキン１の長手方向両端部の非起立部を除く中間部が表面側に起立するループ状立体ギャザーＢＳの起立部とされている。
【００３４】
以上の構造により、ループ状立体ギャザーＢＳは、生理用ナプキン１の長手方向両端部の非起立部において、外側傾斜面がループ状立体ギャザーＢＳの内側に折り畳むように積層されているため、ループ状立体ギャザーＢＳの起立部においては、この折り畳み部分が表面側に起立して立体ギャザーが高く形成されるので、身体に密着するのに必要な高さが確保できる。
【００３５】
また、外側傾斜面３２の幅Ｌ１が内側傾斜面３３の幅Ｌ２より短く形成され、且つ内側傾斜面３３の傾斜角度αが４５°以内に規制されているため、図５に示されるように、ナプキン１の装着時に、ループ状立体ギャザーＢＳが外側への倒れ幅Ａを伴って外側に倒れるようにして身体に密着するので、体液の吸収面側に倒れにくくなり、体液の吸収機能が低下することがなくなる。
【００３６】
これとは逆に、図６に示されるように、外側傾斜面３２の幅Ｌ１が内側傾斜面３３の幅Ｌ２より長く形成され、且つ内側傾斜面３３の傾斜角度αが４５°を超えて形成されている場合、装着時に立体ギャザーＢＳは内側に倒れやすく内側への倒れ幅Ｂが形成されるようになるため、その分体液の吸収面を狭めてしまい、体液の吸収機能が低下するので好ましくない。
【００３７】
さらに、ループ状立体ギャザーＢＳはループ状であるため、脚回りに幅広く密着し、漏れ防止効果が高くなる。また、ループ状立体ギャザーＢＳの接合部３０、３１は生理用ナプキン１の長手方向に沿って直線状に設けられるため、ナプキン１の製造が簡便になる。
【００３８】
前記立体ギャザーＢＳに配設される複数の弾性伸縮部材２１…、２２…は、すべて同等の張力を有するものを同等の引張力で伸長させた状態で配置するようにしてもよいが、外側傾斜面３２に配設される弾性伸縮部材２２…は、内側傾斜面３３に配設される弾性伸縮部材２１…より伸縮力を高く設定することが好ましい。これにより、生理用ナプキン１の長手方向両端部の非起立部において折り畳み状態で積層されている外側傾斜面３２が起立部において起立しやすくなり、中空のループ状立体ギャザーＢＳをより高く起立させることができるようになる。伸縮力を高く設定するには、弾性伸縮部材２２としてより太いものを用いたり、固定時の伸びをより大きくしてテンションを高くしたりすることができる。
【００３９】
前記立体ギャザーＢＳは、生理用ナプキン１の幅方向の最大幅Ｌ３が外側接合部３０から内側接合部３１にかけての接合部幅Ｌ４とほぼ同等であることが好ましい。すなわち、外側接合部３０及び内側接合部３１の接合端部を基点として外側傾斜面３２及び内側傾斜面３３が使用面側に起立するように形成されている。このため、突出高さが高いループ状立体ギャザーＢＳが形成できる。
【００４０】
図示例では、生理用ナプキン１の幅方向断面に対する断面形状が略三角形状となるように形成されているが、台形状や、半割卵形状などで形成されるようにしてもよい。
【００４１】
〔他の形態例〕
(1)上記形態例では、ギャザー形成用不織布６の外側を生理用ナプキン１の側縁まで延在させていたが、ギャザー形成用不織布６を所定の外側範囲までとし、外側の所定範囲に別体のサイド不織布を配設するようにしてもよい。
【符号の説明】
【００４２】
１…生理用ナプキン、２…不透液性裏面シート、３…透液性表面シート、４…吸収体、５…クレープ紙、６…ギャザー形成用不織布、２１・２２…弾性伸縮部材、３０…外側接合部、３１…内側接合部、３２…外側傾斜面、３３…内側傾斜面、ＢＳ…立体ギャザー、Ｗ…ウイング状フラップ、ＷＢ…第２ウイング状フラップ
【図１】
0005780790.tif 000002
【図２】
0005780790.tif 000003
【図３】
0005780790.tif 000004
【図４】
0005780790.tif 000005
【図５】
0005780790.tif 000006
【図６】
0005780790.tif 000007